(57)【要約】【課題】磁気遮蔽体を使用することなく、空気の流通が自由な磁気シールド空間を低コストで作るとともに、磁気シールド空間の磁界を最小になるようにする。【解決手段】磁気シールド空間１の全体にわたってコイル２を巻回し、コイルの軸が外部磁界の方向と同軸になるように磁気シールド空間を設置し、前記コイルの両端に位相遅延回路３を接続し、該位相遅延回路により外部磁界の周波数に対して、位相が１８０°ずれた周波数の磁界を発生させる。【選択図】図１
2004342808.tif 000002
【特許請求の範囲】
【請求項１】
磁気シールド空間の全体にわたってコイルを巻回し、コイルの軸が外部磁界の方向と同軸になるように磁気空間を設置し、前記コイルの両端に位相遅延回路を接続し、該位相遅延回路により外部磁界の周波数に対して、位相が１８０°ずれた周波数の磁界を発生させることを特徴とする磁気シールド装置。
【請求項２】
コイルは３つのコイルからなり、コイルのそれぞれの軸を互いに直交させることを特徴とする請求項１記載の磁気シールド装置。
【発明の詳細な説明】
【０００１】
【発明の属する技術分野】
本発明は、工業材料の製造のために低磁場空間が必要な場合、精密機器に磁場が作用して測定値に狂いが生じる場合、医療用の目的で人体の発する磁場を計測する場合等に必要な磁気シールドの技術分野に属する。
【０００２】
【従来の技術】
従来、工業材料の製造、精密機器の動作、医療用の磁場の計測等において、低磁場の空間が必要なときには、外部の磁場を遮断する必要があり、そのため、シールドルームを設置して低い磁場の空間を作ることが行われている。このシールドルームとしては、鉄、パーマロイ等の高透磁率性材料を使用し、できるだけ開口の少ない密閉した構造（磁気遮蔽体）にするものが一般的な方法として実用化されている。
【０００３】
この一般的なシールド構造は、常に密閉構造であるほど性能は高く、開口に伴う隙間があれば性能が落ちる傾向がある。しかるに内部で人間が作業する場合には最低限の空気取り入れのための開口が必要であり、さらに何らかの換気により発生熱、汚染空気の除去などのための開口が必要であり、また、場合によれば窓を設けて光を取り入れることも必要である。そのため、高透磁率性材料で作った細い管による開口を数カ所壁面に貫通させたり、開口内にハニカム状の開口を充填して個々も開口を小さくする方法がとられているが、これらの方法では大きな開口を作ることができないと共に、手間とコストが増大するという問題を有している。
【０００４】
そこで、特許文献１においては、磁気シールド空間の周囲にコイルを巻回し、外部磁界によりコイルに誘導電流を発生させ、この誘導電流により内部磁界を発生させることにより磁気シールド空間の磁場を低くする方式を提案している。これによれば、開口を作る必要がなく空気の流通が自由な磁気シールド空間を得ることができる。
【０００５】
【特許文献１】特開平１１−２４３２９５号公報
【０００６】
【発明が解決しようとする課題】
しかしながら、上記特許文献１の方式においては、外部磁界の周波数に対して発生する内部磁界の周波数が同期してしまうため、外部磁界を必ずしもキャンセルすることができないという問題を有している。
【０００７】
本発明は、上記従来の問題を解決するものであって、磁気遮蔽体を使用することなく、空気の流通が自由な磁気シールド空間を低コストで作ることができるとともに、磁気シールド空間の磁界を最小になるようにすることができる磁気シールド装置を提供することを目的とする。
【０００８】
【課題を解決するための手段】
上記目的を達成するために、本発明の磁気シールド装置は、磁気シールド空間の全体にわたってコイルを巻回し、コイルの軸が外部磁界の方向と同軸になるように磁気空間を設置し、前記コイルの両端に位相遅延回路を接続し、該位相遅延回路により外部磁界の周波数に対して、位相が１８０°ずれた周波数の磁界を発生させることを特徴とする。
また、コイルは３つのコイルからなり、コイルのそれぞれの軸を互いに直交させることを特徴とする。
【０００９】
【発明の実施の形態】
以下、本発明の実施の形態を図面を参照しつつ説明する。図１は、本発明の磁気シールド装置の１実施形態を示す構成図である。本例は円形コイルの例で外部磁界が１方向の場合にコイル内に磁界を発生させることにより内部の磁界を小さくするようにしている。
【００１０】
図１において、磁気シールドを行う磁気シールド空間１の全体にわたってコイル２を巻回し、コイル２の軸が外部磁界Ｘ１の方向と同軸になるように磁気シールド空間１を設置する。コイル２の両端には位相遅延回路３を接続している。位相遅延回路３は、コンデンサ、コイル、抵抗器、増幅器或いはこれらの複合等の回路素子からなっている。
【００１１】
図２に示すように、外部磁界Ｘ１の波形に対して、コイル２に流れる電流を位相遅延回路３により位相が１８０°ずれた波形Ｘ２を作ると、Ｘ１に波形Ｘ２を加えて内部発生磁界はＸ３と半減する。ここで、Ｘ２の波形をＸ１の振幅と同じにすれば、内部発生磁界Ｘ３を０に近づけることができる。
【００１２】
コイル２は巻き方を変えることで密にも粗に巻ける。粗に巻くことで壁面が閉鎖しないシールド空間を作ることができる。このために特に内部の空気を一様に層流で流したい場合に、容易に安価に磁気シールド空間を形成することができる。また照明も外部の照明を使うことで内部の照明がいらなくなる。
【００１３】
図３は、本発明の他の実施形態を示す模式図である。本実施形態はコイル２を角形とし、また、コイル２の両端をコイル４を介して位相遅延回路３に接続している。
【００１４】
図４は、本発明の他の実施形態を示す模式図である。磁気シールド空間１の外周に３つのコイル２Ｘ、２Ｙ、２Ｚを巻回し、コイル２Ｘの方向であるＸ軸と直角な方向であるＹ軸方向、Ｘ軸およびＹ軸と直角な方向であるＺ軸方向にコイル２Ｙ、２Ｚの軸を合わせるように設置している。これにより外部磁界の方向がコイルの軸と合わない場合にも磁気シールド空間を形成することができる。
【００１５】
図５は、本発明の他の実施形態を示す模式図である。シールドルーム５は、非導電性材料の柱６及び柱６間を連結する連結材７からなる枠構造体９を備え、従って、枠構造体９の側面及び上面には開口１０が形成されている。また、柱６の一つには蝶番１１により上下一組のコネクタ１２が回動可能に装着されている。枠構造体９の周囲にはコイル１３Ｘが巻回され、コイル１３Ｘの両端は前記位相遅延回路に接続されている。コネクタ１２間には導線１３ａが接続されており、コイル１３Ｘは、コネクタ１２を介して導線１３ａに接離可能にされている。これにより、コネクタ１２を回動させたとき、コネクタ１２間の導線１３ａが枠構造体９から離れて、この開口から人間の往来が可能となり、あるいは道具等の搬出入も行うことができる。
【００１６】
図６は、本発明の他の実施形態を示し、図（Ａ）はコイルの一部を示す模式図、図（Ｂ）は磁気シールド構造を示す模式図である。本実施形態は、布体１６の両端にコネクタ１７を設け、コネクタ１７、１７間の布体１６内に導線１９を配線し、コイルユニット２０を形成した例である。そして、このコイルユニット２０の多数を室内の内壁に順次貼り付けてコネクタ１７で接続することによりシールドルームを形成する。また、シールドルームを形成する壁の大きさでコイルユニット２０を形成し、不使用時には折り畳んでおき、必要なときに、図（Ｂ）に示すように、広げて筒状のものにすることにより、移動可能な磁気シールドを作ることもできる。なお、開口は布体１６に形成すればよい。
【００１７】
【発明の効果】
以上の説明から明らかなように、本発明によれば、磁気遮蔽体を使用することなく、空気の流通が自由な磁気シールド空間を低コストで作ることができるとともに、磁気シールド空間の磁界を最小になるようにすることができる。
【図面の簡単な説明】
【図１】本発明の磁気シールド装置の１実施形態を示す構成図である。
【図２】外部磁界をキャンセル方法を説明するための図である。
【図３】本発明の磁気シールド装置の他の実施形態を示す模式図である。
【図４】本発明の磁気シールド装置の他の実施形態を示す模式図である。
【図５】本発明の磁気シールド装置の他の実施形態を示す模式図である。
【図６】本発明の磁気シールド装置の他の実施形態を示す模式図である。
【符号の説明】
１…磁気シールド空間、２…コイル、３…位相遅延回路
【図１】
2004342808.tif 000003
【図２】
2004342808.tif 000004
【図３】
2004342808.tif 000005
【図４】
2004342808.tif 000006
【図５】
2004342808.tif 000007
【図６】
2004342808.tif 000008